(57)【特許請求の範囲】
【請求項１】
支持体（４）に対して移動できるように取り付けられた可動部材（５、５′、５″）を有し、該可動部材は中央ダクト（３２、３２、′３２″）を備え、分配すべき内容物が少なくとも１つの開口（３６、３６′、３６″）を通って中央ダクト内に進入し、支持体（４）は可動部材と協働して中央ダクトの回りに可変容積ポンプチャンバ（３４）を形成し、保持手段（２０）により支持体（４）上に保持されたダイアフラム（５０、５０′）を有し、該ダイアフラムは中央ダクトの一端（８７）が挿入される中央部（５１、５１′）を備え、ダイアフラムは、ポンプチャンバの容積が増大しかつ内容物がポンプチャンバ内に吸引される間に中央ダクトの前記開口（３６、３６′、３６″）からポンプチャンバを隔絶すべく配置された弁形成部分を備え、ダイアフラムは、内容物を分配すべく可動部材を移動させると弾性的に引っ張られるように可動部材に当接している形式のポンプ（１、１′、１″）において、内容物を分配すべく可動部材を移動させる間のダイアフラムの弁形成部分の伸びを最小にするのに適した手段を有し、前記ダイアフラム（５０、５０′）は第１係合手段（５９）を有し、該第１係合手段（５９）は、中央ダクトに固定された第２係合手段（６４）と協働すべく配置され、該第２係合手段は中央ダクトの端部（８７）から間隔を隔てて配置されていることを特徴とするポンプ。
【請求項２】
前記支持体（４）の保持手段（２０）と中央ダクトの係合ゾーンとの間に延びているダイアフラムの部分は、ばね機能のみを遂行することを特徴とする請求項１記載のポンプ。
【請求項３】
前記ポンプチャンバを中央ダクトの単一または複数の開口から隔絶すべく配置された弁形成ダイアフラムの部分が、支持体に固定するゾーンと中央ダクトと係合するゾーンとの間に延びているダイアフラムの部分以外の部分に配置されていることを特徴とする請求項１または２記載のポンプ。
【請求項４】
前記ダイアフラムの第１係合手段は、ダイアフラムの中央部の端壁（５２）から離れる方向に開口しているチャンネル（７０）を形成し、第２係合手段は、中央ダクトの端部（８７）の方向を向いた係合スカート（６４）を有していることを特徴とする請求項３記載のポンプ。
【請求項５】
前記チャンネル（７０）は、ダイアフラムの中央部の下部および上部をそれぞれ構成し、一部がオーバーラップしておりかつチャンネル（７０）のウェブを構成する横方向壁（５８）により連結された２つの同心状管状壁（５６、５７）の間に形成されていることを特徴とする請求項４記載のポンプ。
【請求項６】
前記ダイアフラムの中央部の下部を形成する管状壁（５７、５７′）は、その半径方向内面に少なくとも１つの、好ましくは複数の軸線方向スロット（７２、７２′）を有していることを特徴とする請求項５記載のポンプ。
【請求項７】
前記軸線方向スロット（７２、７２′）は、ダイアフラムの中央部の下部を形成する管状壁（５７、５７′）の上端部から横方向壁（５８）の僅かに下まで下方に延びていることを特徴とする請求項６記載のポンプ。
【請求項８】
前記ダイアフラムは、環状領域（７５）を、第２係合手段の下に位置する中央ダクトのゾーンに対して漏洩防止態様で当接させることにより、ポンプチャンバを中央ダクトの単一または複数の開口（３６、３６′、８６）から隔絶するように配置されていることを特徴とする請求項７記載のポンプ。
【請求項９】
前記ポンプチャンバの容積が増大しかつ内容物がポンプチャンバ内に吸引される間にダイアフラムに当接する中央ダクトのゾーンは、環状ビード（８０）により形成されていることを特徴とする請求項８記載のポンプ。
【請求項１０】
前記ダイアフラムは中央ダクトと協働して、前記ビード（８０）の両側に環状間隙（８２）を形成することを特徴とする請求項９記載のポンプ。
【請求項１１】
前記中央ダクトの下部に少なくとも１つの半径方向開口（３６、３６′）が設けられていることを特徴とする請求項１０記載のポンプ。
【請求項１２】
前記中央ダクトの下部には、いかなる半径方向開口をも設けられていないことを特徴とする請求項１〜９のいずれか１項記載のポンプ。
【請求項１３】
前記中央ダクトの第２係合手段は中央ダクトの厚い部分（６０）の端部により構成され、厚い部分は、これらの間に、内容物が中央ダクトの単一または複数の開口に向かって流れることを可能にするスロット（６１）を形成していることを特徴とする請求項１２記載のポンプ。
【請求項１４】
前記ダイアフラムは、第１に、ポンプチャンバの容積が減少する間にポンプチャンバを内容物の源から隔絶するのに適しており、第２に、ポンプチャンバの容積が増大する間に内容物がポンプチャンバ内に進入できるようにするのに適している可撓性リップ（５３）を有することを特徴とする請求項１３記載のポンプ。
【請求項１５】
前記可撓性リップ（５３）は、下向きの環状チャンネルを形成するようにダイアフラムの中央部に連結されており、前記保持手段は前記チャンネルのウェブに当接する内側スカート（２０）の端部により構成されており、前記可動部材がポンプチャンバの容積を減少させるべく下方に移動するときにダイアフラムを保持することを特徴とする請求項１４記載のポンプ。
【請求項１６】
前記内側スカート（２０）はその上端部に開口（２２）を有し、該開口（２２）の高さは可撓性リップ（５３）の高さより小さく、開口（２２）は、ポンプチャンバがその容積を増大している間に、および可撓性リップがポンプチャンバ内に流入する内容物からの推進力を受けて内側スカートから離される間に、内容物をポンプチャンバ内に到達させることができることを特徴とする請求項１５記載のポンプ。
【請求項１７】
前記可撓性リップ（５３）はダイアフラムの上端部に向かって厚さが増大していることを特徴とする請求項１４〜１６のいずれか１項記載のポンプ。
【請求項１８】
前記ダイアフラムの中央部はその上端部が環状部分（５５）に連結されており、該環状部分（５５）の幅および厚さは、前記中央部が引っ張られる間にダイアフラムを確実に保持できるように選択されることを特徴とする請求項１４〜１７のいずれか１項記載のポンプ。
【請求項１９】
前記支持体（４）は可動部材の管状スカート（３３）に対して漏洩防止態様で当接するシーリング手段（２４）を有し、管状スカート（３３）は下向きに開口しかつ中央ダクト（３２、３２′、３２″）の回りで同心状に延び、ポンプチャンバの半径方向外方壁を形成していることを特徴とする請求項１８記載のポンプ。
【請求項２０】
前記保持手段とダクトの係合手段との間で軸線方向に延びているダイアフラムの部分（５６）は、前記ポンプが休止しているときに張力を受けていることを特徴とする請求項１９記載のポンプ。
【請求項２１】
前記可動部材はプッシュボタン（５、５′、５″）を構成し、中央ダクトは分配エンドピース（３５）と一体に形成されていることを特徴とする請求項２０記載のポンプ。
【請求項２２】
前記ダイアフラム（５０、５０′）はニトリルエラストマまたはシリコーンエラストマで作られていることを特徴とする請求項２１記載のポンプ。
【請求項２３】
請求項１〜２２のいずれか１項に記載のポンプが設けられたことを特徴とする容器。
【発明の詳細な説明】
【０００１】
【発明の属する技術分野】
本発明は、ポンプ、および該ポンプに取り付けられる、例えば化粧品またはケアクリーム等の液体を収容する容器に関する。
【０００２】
【従来の技術】
フランス国特許ＦＲ−Ｂ−２  ７２８  ８０９には、分配すべき内容物を収容する容器に固定される支持体に着脱可能に取り付けられるプッシュボタンを備えたポンプであって、プッシュボタンが中央ダクトを備え、該中央ダクトの下端部に半径方向開口が設けられており、支持体が中央ダクトの周囲に可変容積ポンプチャンバを形成している形式のポンプが開示されている。支持体には、エラストマ材料で作られたダイアフラムが取り付けられる。ダイアフラムは、上端部が開放しかつ下端部が閉鎖されたスリーブの形態をなす中央部を有している。プッシュボタンの中央ダクトは、該中央ダクトがダイアフラムの中央部の端壁に当接するまで、一端からダイアフラム内に挿入される。
【０００３】
上記ダイアフラムは、或る量の内容物を分配した後に、プッシュボタンをその初期位置に戻すばねとして機能する。
【０００４】
ダイアフラムはまた、分配弁としても機能する。
【０００５】
プッシュボタンが戻り移動する間、ダイアフラムは中央ダクトを押圧しかつポンプチャンバを中央ダクトの半径方向開口から隔絶して、空気がポンプチャンバ内に戻ることを防止する。
【０００６】
このようなポンプは、少数の部品で済み、比較的低コストで製造するのに適しているという長所を有している。
【０００７】
それにも係わらず、この既知のポンプは完全に満足できるものではない。
【０００８】
より詳しくは、このポンプは呼び水を差すのが困難なため、或る条件下では内容物がプッシュボタンの中央ダクトとダイアフラムとの間を流れることが困難になり、従ってプッシュボタンが動かなくなってしまう。
【０００９】
【発明が解決しようとする課題】
本発明の目的は、支持体に対して移動できるように取り付けられた可動部材を有し、該可動部材は中央ダクトを備え、分配すべき内容物が少なくとも１つの開口を通って中央ダクト内に進入し、支持体は可動部材と協働して中央ダクトの回りに可変容積ポンプチャンバを形成し、保持手段により支持体上に保持されたダイアフラムを有し、該ダイアフラムは中央ダクトの一端が挿入される中央部を備え、ダイアフラムは、ポンプチャンバの容積が増大しかつ内容物がポンプチャンバ内に吸引される間に中央ダクトの前記開口からポンプチャンバを隔絶すべく配置された弁形成部分を備え、ダイアフラムは、内容物を分配すべく可動部材を移動させると弾性的に引っ張られるように可動部材に当接している形式のポンプを更に改善することにある。
【００１０】
【課題を解決するための手段】
本発明の新規なポンプは、内容物を分配すべく可動部材を移動させる間のダイアフラムの弁形成部分の伸びを最小にするのに適した手段を有することを特徴とする。好ましい実施形態では、ダイアフラムの中央部は第１係合手段を有し、該第１係合手段は、中央ダクトに固定された第２係合手段と協働すべく配置され、該第２係合手段は、ダイアフラムの中央部に挿入されたダクトの端部から間隔を隔てて配置されている。
【００１１】
本発明によれば、中央ダクトの端部は、ダイアフラムが弾性的に引っ張られる構成のポンプ、より詳しくは、プッシュボタンの中央ダクトがダイアフラムのスリーブ状中央部の端壁に対して直接当接する構成のフランス国特許２  ７２８  ８０９に開示のポンプとは異なり、可動部材が内容物を分配すべく移動されるときに、ダイアフラムの中央部の端壁に対して全く当接しないか、極く僅かに当接するに過ぎない。
【００１２】
好ましくは、支持体の保持手段と中央ダクトの係合ゾーンとの間に延びているダイアフラムの部分は、ばね機能のみを遂行する。
【００１３】
また、好ましくは、ポンプチャンバと中央ダクトの単一または複数の開口とを隔絶すべく配置された弁形成ダイアフラムの部分が、支持体に固定するゾーンと中央ダクトと係合するゾーンとの間に延びているダイアフラムの部分以外の部分に配置されている。
【００１４】
本発明では、ダイアフラムの中央部は中央ダクトの端部から離れた位置で中央ダクトに当接し、これにより、ダイアフラムの中央部の端壁が受ける機械的応力を低減できる。
【００１５】
また、ダイアフラムの中央部の端壁が受ける応力は小さいので、ポンプチャンバの容積が増大して内容物がチャンバ内に吸引される間に、ダイアフラムがその分配弁機能を遂行すること、すなわち中央ダクトの単一または複数の開口からポンプチャンバを隔絶することが容易になる。ダイアフラムの中央部の下部は、軸線方向応力を殆ど受けないので、ダイアフラムの中央部の上部が引っ張られる方向に対して垂直な方向に一層容易に変形でき、これにより、分配すべき内容物を一層容易に通すことができるようになる。
【００１６】
特定実施形態では、ダイアフラムの第１係合手段は、ダイアフラムの中央部の端壁から離れる方向に開口しているチャンネルを形成し、第２係合手段は、中央ダクトの端部の方向を向いた係合スカートを有している。
【００１７】
他の特定実施形態では、上記チャンネルは、ダイアフラムの中央部の下部および上部をそれぞれ構成し、一部がオーバーラップしておりかつチャンネルのウェブを構成する横方向壁により連結された２つの同心状管状壁の間に形成されている。
【００１８】
好ましくは、ダイアフラムの中央部の下部を形成する管状壁は、その半径方向内面に少なくとも１つの、好ましくは複数の軸線方向スロットを有している。
【００１９】
これらの軸線方向チャンネルは、内容物が分配される間の内容物の流れを容易にする。
【００２０】
好ましくは、上記軸線方向スロットは、ダイアフラムの中央部の下部を形成する管状壁の上端部から、横方向壁の僅かに下まで下方に延びている。
【００２１】
好ましくは、ダイアフラムは、環状領域を、第２係合手段の下に位置する中央ダクトのゾーンに対して漏洩防止態様で当接させることにより、ポンプチャンバと中央ダクトの単一または複数の開口とを隔絶するように配置されている。
【００２２】
ポンプチャンバの容積が増大しかつ内容物がポンプチャンバ内に吸引される間にダイアフラムに当接する中央ダクトのこのゾーンは、環状ビードにより形成されるのが好ましい。ダイアフラムは中央ダクトと協働して、ビードの両側に環状間隙を形成し、これにより内容物が分配される間に内容物が一層容易に流れ得るようにする。
【００２３】
特定実施形態では、中央ダクトの下部に少なくとも１つの半径方向開口が設けられている。
【００２４】
変更実施形態では、中央ダクトの下部にはいかなる半径方向開口も設けられておらず、このため容易に製造することができる。
【００２５】
好ましくは、中央ダクトの第２係合手段は中央ダクトの厚い部分の端部により構成され、厚い部分は、これらの間に、内容物が中央ダクトの単一または複数の開口に向かって流れることを可能にするスロットを形成している。
【００２６】
好ましくは、ダイアフラムは、第１に、ポンプチャンバの容積が減少する間に、ポンプチャンバを内容物の源から隔絶するのに適しており、第２に、ポンプチャンバの容積が増大する間に内容物がポンプチャンバ内に進入することを可能にするのに適している可撓性リップを有する。
【００２７】
この可撓性リップは、吸引弁に似た作用をする。
【００２８】
また、可撓性リップは、好ましくは、下向きの環状チャンネルを形成するようにダイアフラムの中央部に連結されており、保持手段は前記チャンネルのウェブに当接する内側スカートの端部により構成されており、前記可動部材がポンプチャンバの容積を減少させるべく下方に移動するときにダイアフラムを保持する。
【００２９】
上記内側スカートは、好ましくは、その上端部に開口を有し、該開口の高さは可撓性リップの高さより小さく、開口は、ポンプチャンバがその容積を増大している間に、および可撓性リップがポンプチャンバ内に流入する内容物からの推進力を受けて内側スカートから離される間に、内容物をポンプチャンバ内に到達させることができる。
【００３０】
特定実施形態では、可撓性リップはダイアフラムの上端部に向かって厚さが増大している。
【００３１】
別の特定実施形態では、ダイアフラムの中央部はその上端部が環状部分に連結されており、該環状部分の幅および厚さは、前記中央部が引っ張られる間にダイアフラムを確実に保持できるように選択される。
【００３２】
好ましくは、支持体は可動部材の管状スカートに対して漏洩防止態様で当接するシーリング手段を有し、管状スカートは下向きに開口しかつ中央ダクトの回りで同心状に延び、ポンプチャンバの半径方向外方壁を形成している。
【００３３】
好ましくは、保持手段とダクトの係合手段との間で軸線方向に延びているダイアフラムの部分は、ポンプが休止しているときに張力を受けており、これにより、可動部材をその高位置に当接した状態に維持できる。
【００３４】
本発明はまた、上記ポンプに取り付けられる容器を提供する。
【００３５】
【発明の実施の形態】
本発明の他の特徴および長所は、限定的でない実施形態についての以下の詳細な説明および添付図面を参照することにより明らかになるであろう。
【００３６】
図１はタンク形成本体２を備えた容器１を示す。図面は、タンク形成本体２の上端部のみを示し、該上端部はネック３を形成し、該ネック３には支持体４がパチンと嵌合される。
【００３７】
支持体４は、軸線Ｘに沿ってスライドできるようにプッシュボタン５を取り付けるガイドを構成し、支持体４はまた、プッシュボタン５を最初に使用する前にプッシュボタン５を覆う着脱可能な閉キャップ６を取り付ける機能も有している。
【００３８】
ここに説明する実施形態では、支持体４は、ネック３の内面に対して漏洩防止態様で支持されるシーリングスカート７を有している。
【００３９】
シーリングスカート７は、ネック３の環状リム９上にパチンと嵌合される固定タブ８により第１に半径方向外方に延長され、第２に、ディップチューブ（図示せず）に連結するためのエンドピース１２を形成する段付き壁１０により半径方向内方に延長されている。
【００４０】
外側スカート１５およびガイドスカート１６は、シーリングスカート７、固定タブ８および段付き壁１０と一緒にプラスチック材料のワンピース成形として作られる。
【００４１】
外側スカート１５は、容器１のネック３の周囲に延びており、かつ閉キャップ６が支持される肩部１７を有している。
【００４２】
外側スカート１５の上縁部１８は、後述のように、プッシュボタン５を休止位置に保持する。
【００４３】
支持体４はインサートにより構成される内側スカート２０を有し、その下端部２１は段付き壁１０内に押し込まれている。
【００４４】
内側スカート２０は、知覚できる程度にテーパしている上端部を有し、該上端部には、図３により詳細に示すように、半径方向開口２２が設けられている。
【００４５】
これらの開口２２は、ここに説明する例では、軸線Ｘに平行に延びたスロットの形態をなしており、ここから溝２５が、内側スカート２０の半径方向内面に沿って段部２６まで下方に延びている。
【００４６】
内側スカート２０の外面には、プラスチック材料により１対の環状シーリングリップ２４が一体に成形されている。
【００４７】
プッシュボタン５の下端部に設けられた外側スカート３０にはキャッチ３１が設けられており、該キャッチ３１は、プッシュボタン５が図１に示すその高位置に休止しているときに、支持体４の外側スカート１５の上縁部１８に当接する。
【００４８】
プッシュボタン５はまた、軸線Ｘ上の中央ダクト３２と、該中央ダクト３２の周囲に環状ポンプ室３４を形成する同心状の管状スカート３３とを有している。
【００４９】
外側スカート３０、管状スカート３３および中央ダクト３２は、プラスチック材料により、中央ダクト３２と内部で連通している分配エンドピース３５と一体に成形されている。
【００５０】
図１〜図３に示す実施形態では、中央ダクト３２の下端部８７には半径方向開口３６が設けられている。
【００５１】
管状スカート３３の下端部には、半径方向外方に僅かに延びているシーリングリップ３７が形成されている。
【００５２】
支持体４のガイドスカート１６の上部には円筒状内周面４０が設けられ、かつ下部には僅かな環状セットバック４１が設けられている。
【００５３】
図１に示すように、プッシュボタン５が高位置にあるとき、シーリングリップ３７は、ガイドスカート１６の上部の内面４０に対して漏洩防止態様で当接する。
【００５４】
かくして、容器１の内部は大気から隔絶され、これにより、内容物の良好な保存が可能になる。
【００５５】
環状セットバック４１が設けられているため、プッシュボタン５が押し下げられると、シーリングリップ３７はガイドスカート１６に対し漏洩防止態様で当接しなくなり、これにより、内側スカート２０とガイドスカート１６との間に形成された環状チャンネルが、図３に示す環状間隙４２を介して外部と連通できるようになる。
【００５６】
内側スカート２０はダイアフラム５０を取り付ける機能を有する。ダイアフラム５０は、図６に別途示すように、軸線Ｘ上のスリーブ形成中央部５１を有し、該中央部５１はその上部が開口しかつその下端部は端壁５２により閉鎖されている。
【００５７】
ダイアフラム５０はシリコーンエラストマまたはニトリルエラストマで作られ、ダイアフラム５０の頂部からは下向きの可撓性環状リップ５３が延びている。
【００５８】
環状リップ５３が中央部５１に連結される個所で、可撓性リップ５３は下部が開口した環状チャンネル５４を形成しており、該環状チャンネル５４内には、内側スカート２０の上端部の自由縁部が、可撓性リップ５３と中央部５１とを連結するウェブ５５に当接するまで挿入される。
【００５９】
可撓性リップ５３は、休止時に、内側スカート２０に対して軽く当接するように作られている。
【００６０】
可撓性リップ５３の高さは開口２２の高さより大きく、休止時に、図１に示すように、開口２２の下で内側スカート２０の外面に漏洩防止態様で当接するのに適している。
【００６１】
かくして可撓性リップ５３は、後述のように、ポンプチャンバ３４の容積が減少して或る量の内容物を分配する間にポンプチャンバ３４と容器１の内部とを隔絶する吸引弁として機能する。
【００６２】
可撓性リップ５３と中央部５１とを連結する壁５５は比較的幅広でかつ厚く、このため、プッシュボタン５が押し下げられたときに、ダイアフラム５０の中央部５１の上端部を内側スカート２０に対して確実に保持できる。
【００６３】
中央ダクト３２の外面には軸線方向に延びた厚い部分６０が設けられている。該厚い部分６０はここに説明する実施形態では３つ設けられており、これらの３つの厚い部分６０の間には、図７に示すように軸線方向スロット６１が形成されている。
【００６４】
スロット６１は、中央ダクト３２の大部分の高さに沿って、その上端部から厚い部分６０の全長に亘って延びている。
【００６５】
厚い部分６０の下端部には係合スカート６４が形成されており、該係合スカート６４は、中央ダクト３２と協働して、下部が開口した環状チャンネル６５を形成している。
【００６６】
ここに説明する実施形態では、係合スカート６４は、中央ダクト３２の下端部８７から、中央ダクト３２の全高の１／４〜１／３の範囲に亘って形成されている。
【００６７】
ダイアフラム５０の中央部５１は、上部５６および下部５７を有している。
【００６８】
下部５７は、上部５６の下端部から半径方向内方に延びている横方向壁５８を介して上部５６に連結されている。
【００６９】
下部５７は上部５６の内側で横方向壁５８の上方に延びて係合スカート５９を形成し、該係合スカート５９は上部５６と協働して、上部が開口した環状チャンネル７０を形成している。
【００７０】
ダイアフラム５０が支持体４の所定位置に取り付けられるとき、中央ダクト３２の係合スカート６４がチャンネル７０内に受け入れられ、かつダイアフラム５０の係合スカート５９がチャンネル６５内に受け入れられる。これにより、プッシュボタン５が押し下げられると、その中央ダクト３２の係合スカート６４がダイアフラム５０と係合しているため、ダイアフラム５０の中央部５１が引き下げられる。
【００７１】
係合スカート５４の厚さと、環状チャンネル７０の幅とは実質的に同じである。
【００７２】
図６に示すように、ダイアフラム５０の中央部５１の下部５７の内面には軸線方向スロット７２が形成されている。
【００７３】
これらのスロット７２は、図３に示すように、ダイアフラムの端壁５２に向かって徐々に減少する深さを有している。
【００７４】
ここに説明する実施形態では、スロット７２はダイアフラム５０の下部５７の上端部に開口している。
【００７５】
スロット７２の下端部と端壁５２との間で軸線方向に延びているダイアフラムの下部５７の環状領域７５は、中央ダクト３２の半径方向開口３６の高さより大きい高さで延びている。
【００７６】
また、ここに説明する実施形態では、環状領域７５の内径は、休止時に、環状領域７５が半径方向開口３６の上方で中央ダクト３２に対して漏洩防止態様で当接し、これにより半径方向開口３６とスロット７２とを隔絶するように選択される。
【００７７】
ポンプ１は次のように作動する。
ポンプ１には呼び水が差されていると仮定する。
使用者がプッシュボタン５を押し下げると、中央ダクト３２が下方に移動し、ダイアフラム５０の上部５６（その上端部は内側スカート２０の上端部により保持されかつその下端部は係合スカート６４の下端部と係合している）が弾性的に引っ張られる。
【００７８】
ポンプチャンバ３４内に収容された内容物が圧縮され、可撓性リップ５３は、内側スカート２０の外面に対して漏洩防止態様で当接している。
【００７９】
内容物の圧力を受けて、ダイアフラム５０の環状領域７５が中央ダクト３２から離れる方向に移動する。これにより、内容物は半径方向開口３６に到達し、中央ダクト３２の内部を通って分配エンドピース３５の出口オリフィスへと流れることができる。
【００８０】
ダイアフラム５０は端壁５２から離れた位置で中央ダクト３２と係合しているので、内容物が分配される間に、端壁５２は殆ど機械的応力を受けず、かつ大きく引っ張られない環状領域７５は、スロット６１を通って流れる内容物の圧力を受けて比較的容易に中央ダクト３２から離れる方向に移動できる。
【００８１】
使用者がプッシュボタン５を解放すると、ダイアフラム５０の上部５６がこれ自体の弾性により元の形状に戻り、これにより、プッシュボタン５が上方に戻される。
【００８２】
次に、ポンプチャンバ３４内に吸引力が発生され、この吸引力は、可撓性リップ５３を内側スカート２０から離れる方向に移動させ、エンドピース１２および内側スカート２０の内面に形成された溝２５内を流れることにより内容物をポンプチャンバ３４に到達させる効果を有する。
【００８３】
プッシュボタン５が上昇している間にポンプチャンバ３４内に発生する吸引力はまた、中央ダクト３２に対してダイアフラム５０の環状領域７５を押し付け、これによりポンプチャンバ３４から半径方向開口３６を隔絶する効果をも有する。
【００８４】
本発明のポンプでは、ダイアフラム５０のばね機能は、その分配弁機能とは幾分独立している。なぜならば、ダイアフラム５０は、この下端部から離れた位置で中央ダクト３２と係合しているからである。
【００８５】
換言すれば、ダイアフラムが支持体４および中央ダクト３２と係合する２つの領域の間でダイアフラムがばね機能以外の機能をもつことはなく、従ってダイアフラムが弁機能を遂行することはない。
【００８６】
ポンプ１を組み立てるには、ダイアフラム５０が最初にプッシュボタン５の中央ダクト３２内の所定位置に挿入され、次に、プッシュボタン５のキャッチ３１を弾性的に変形させて外側スカート１５の上縁部１８を通過させることにより、プッシュボタン５を支持体４の所定位置に取り付ける。
【００８７】
ダイアフラム５０の上部５６の長さは、プッシュボタン５のキャッチ３１を上縁部１８に係合させることによりプッシュボタンを取り付けたときにダイアフラムが張力を受けるように選択される。
【００８８】
図８〜図１２は、変更実施形態を示す。
【００８９】
これらの図面において、上記説明に係る構成要素と同じ構成要素については同じ参照番号を使用する。
【００９０】
図８〜図１２に示すポンプ１′は、プッシュボタン５′の中央ダクト３２′の形状およびダイアフラム５０′の形状の点で、上記ポンプ１とは異なっている。
【００９１】
より正確には、この変更実施形態の中央ダクト３２′は、低い高さの半径方向開口３６′と、下端部８７から比較的近くかつ半径方向開口３６′の上方の位置に設けられた環状ビード８０とを有している。
【００９２】
その他の点では、中央ダクト３２′は上記中央ダクト３２と同じである。
【００９３】
ダイアフラム５０′は中央部５１′を有し、その下部５７′は、中央ダクト３２′の下部８１の外径より僅かに大きい内径を有し、かつ図１０に示すように、下部８１と協働して環状間隙８２を形成する。
【００９４】
ダイアフラムの下部５７′の内径は環状ビード８０の外径に等しく、これにより、休止時に、下部５７′が漏洩防止態様で環状ビード８０を押圧するようになっている。
【００９５】
ダイアフラムの下部５７′の内面には、軸線方向スロット７２′が形成されている。
【００９６】
これらのスロット７２′の下端部は、ビード８０の上方で環状間隙８２に開口している。
【００９７】
その他の点では、ダイアフラム５０′は、上記ダイアフラム５０と同じである。
【００９８】
図８〜図１２の実施形態では、環状間隙８２の存在により、プッシュボタン５′が押し下げられる間の内容物の流れが容易になる。
【００９９】
図１３〜図１６は、本発明の第２変更実施形態を構成するポンプ１″を示す。
【０１００】
このポンプ１″は、プッシュボタン５″の中央ダクト３２″に半径方向開口３６が設けられておらず、単に、中央ダクト３２″の下端部８７の円形縁部により形成された軸線方向開口８６が設けられているに過ぎない点で図１に示したポンプとは異なっている。
【０１０１】
しかしながら、ダイアフラム５０の環状領域７５と実質的に同じ厚さを有する端壁５２は、プッシュボタン５″が押し下げられるときに内容物の圧力を受けて下方に変形できるので、ポンプ１″は適正に作動できる。なぜならば、ダイアフラム５０が端壁５２より高い位置で係合スカート６４と係合するという事実により、端壁５２に張力が作用しないからである。
【０１０２】
本質的に、本発明は、以上説明した実施形態に限定されるものではない。
【０１０３】
より詳しくは、本発明の範囲を逸脱することなく、ダイアフラムの形状、ダイアフラムと中央ダクトとを係合させる手段、支持体およびプッシュボタンの形状を変えることができる。
【図面の簡単な説明】
【図１】本発明の第１実施形態を構成するポンプが設けられた容器を示す概略部分縦断面図である。
【図２】図１の平面に垂直な平面での縦断面図である。
【図３】図１の詳細図である。
【図４】プッシュボタンを取り出して示す図面である。
【図５】図４の詳細図である。
【図６】ダイアフラムを取り出して縦断面で示す斜視図である。
【図７】図４のＶＩＩ−ＶＩＩ線に沿う横断面図である。
【図８】ポンプの第１変更実施形態を示す図１と同様な図面である。
【図９】図８の平面に垂直な平面での縦断面図である。
【図１０】図８の詳細図である。
【図１１】図８のポンプのプッシュボタンを取り出して示す図面である。
【図１２】図１１の詳細図である。
【図１３】ポンプの第２変更実施形態を示す図１と同様な図面である。
【図１４】図１３の平面に垂直な平面での縦断面図である。
【図１５】図１３の詳細図である。
【図１６】図１３のポンプのプッシュボタンを取り出して示す図面である。
【符号の説明】
１  容器（ポンプ）
４  支持体
５  プッシュボタン
１５  支持体の外側スカート
１６  ガイドスカート
２０  内側スカート
３２  中央ダクト
５０  ダイアフラム
【図１】
0003604346.tif 000002
【図２】
0003604346.tif 000003
【図３】
0003604346.tif 000004
【図４】
0003604346.tif 000005
【図５】
0003604346.tif 000006
【図６】
0003604346.tif 000007
【図７】
0003604346.tif 000008
【図８】
0003604346.tif 000009
【図９】
0003604346.tif 000010
【図１０】
0003604346.tif 000011
【図１１】
0003604346.tif 000012
【図１２】
0003604346.tif 000013
【図１３】
0003604346.tif 000014
【図１４】
0003604346.tif 000015
【図１５】
0003604346.tif 000016
【図１６】
0003604346.tif 000017